(57)【要約】川の水が海に出ると海の水になる。また、陸域から汚染水が海域に流入し、漁業環境やレジャー環境に大きな影響を及ぼしており、中でも放射能汚染水は大きな問題となっている。この為、１滴の水も漏らさず貯留し、また貯溜した汚染水は自然の浄化力で浄化し、汚染物を除去しようとするものである。水を貯溜しようとする水域を、水路を保持するダブル堤で囲い締切る「水域の空（UTSURO）」を構成し、この水路に清浄水を貯溜水位（圧）同等以上に常に満たすか、又は常に外水位同等以下に保持ことにより、巨大な水の器が構成される。  この貯水池内に浄化堤をリンク状に設置した装置を「多重浄化装置」と言い、「多重浄化装置」の中央水域から汲み上げる浄化装置を、「多重式汲上浄化装置」、また、中央水域に汚水を投入して浄化するものを「多重式投入浄化装置」と言い、この貯水池の入・排水の度に汚染水を浄化する。水は水の力で、汚染水は清浄水で阻止する、１滴の貯留水も、外水域に流出する事がない、水の器を構成するものである。「多重式汲上浄化装置」は貯水池への排水施設として、また、「多重式投入浄化装置」は貯水池内に貯留する流入施設として利用する。
2016013109.tif 000002
【特許請求の範囲】
【請求項１】
水位変化のある水域を堤体構造で囲い締め切る囲繞水域を『水域の空（UTSURO）』言う。  水を貯留しようとする水域を、水路を保持するダブル堤で囲い締め切る「水域の空（UTSURO）」を構成し、ダブル堤の堤体の水密性を高めるとともに、水路の水圧が水底地盤深く伝達可能な底板の無いダブル堤内の水路に清浄水を常に貯水池の水位（圧）と同等以上に満たす事により、巨大な清浄水の器が構成され、外海域に一滴の貯溜水も漏らさないことを特徴とする「水域の空（UTSURO）」を利用した貯水池。
【請求項２】
ダブル堤体内の水路の水位（圧）を常に外海域の水位(圧)と同等以下に保持する事により、一滴の貯溜水も外海域にも漏らさないことを特徴とする「水域の空（UTSURO）」を利用した請求項1に記載した貯水池。
【請求項３】
「水域の空（UTSURO）」を利用した貯水池の貯留水の浄化装置として、公知の浄化堤をリンク状に多重に設置したものを「多重浄化装置」と言う。「多重浄化装置」の中央水域から汲み上げる浄化装置を、「多重式汲上浄化装置」で、中央水域に汚水を投入する浄化装置を「多重式投入浄化装置」と言い、貯水池に貯留及び排出に伴い「多重式投入浄化装置」および「多重式汲上浄化装置」を用いた「水域の空（UTSURO）」を利用した請求項１又は請求項２に記載した貯水池。
【発明の詳細な説明】
【技術分野】
【０００１】
本願発明は「水域の空（UTSURO）」内に設置した貯水装置に関する。
【背景技術】
【０００２】
水位変化のある水域を堤体構造で囲い締め切る囲繞水域を「水域の空（UTSURO）」と言う。２０１１年１１月２日に「水域の空（UTSURO）」内に設置した廃棄物の底泥深層置換処理法（PCT/JP2011/075254）を発明し廃棄物の汚染水の海域汚染の防御を提案した。
【特許文献１】PCT/JP2011/075254
【発明の概要】
【発明が解決しようとする課題】
【０００３】
陸域水が海に流入すればすべて水が海の水となる。又、汚染水が海域に流入し、海域環境に大きな影響を及ぼす。
これら莫大な陸水や汚染水を自然の力を利用して、一滴の水も漏らさず簡単な構造で貯溜する貯水装置を提案するものである。
また、自然はでっかい除去装置である。流入汚染水を貯留し、自然の浄化力を利用して浄化し、汚染物を除去しようとするのが「洋の空（UTSURO）」を利用した貯水装置である。
特に、放射能汚染水は国を挙げて大きな問題となっており、この莫大な汚染水を一滴も漏らさず貯留し、この汚染水を自然の浄化力を利用して、浄化し、汚染物を除去しようとするのが『「水域の空（UTSURO）」を利用した貯水装置』である。
【課題を解決するための手段】
【０００４】
（水の貯留）水は水の力で、汚染水は清浄水で阻止しようとするのが『「水域の空（UTSURO）」を利用した貯水装置』である。
水は高い所から低い所に流れる。（即ち水は圧力の高い方から低い方に流れる。）
圧力の高い水域と圧力低い水域の間に壁を設置すると、圧力の高い水域の水は、圧力の低い水域に流れようとする。
一方  圧力の低い水域の水は絶対に圧力の高い水域に流れることがない。
圧力の高い水域と  圧力の低い水域の間の壁の水密性を高め、圧力の高い水域の水を清浄水とし、圧力の低い水域の水を汚染水とすれば、圧力の低い水域の汚染水は、圧力の高い清浄水域に流入することがない。
このため、汚染水を貯留しようとする水域を、水路を保持したダブル堤で囲い締め切る「水域の空（UTSURO）」を構成し、ダブル堤体の其々の堤体の水密性を高める為、其々の堤体に連続した遮水壁を設置し、時には海底地盤深くに到達する公知の矢板やコンクリートの連続遮水壁を設置し、其々の堤体の漏水防止工を設置する。
ダブル堤体内の水路２の水圧が地盤深く伝達可能にするため底板の無い水路とし、この水路２に清浄水を常に貯留水（汚染）の水位より同等以上に満たす方法と、水路の水位を常に外水位同等以下に保持する方法が考えられる。
（水路に清浄水を満たす方法）【０００５】
貯留しようとする水域に水路を保持したダブル堤で囲い締め切る。このダブル堤体内の水路に貯水池の貯留水位（圧）同等以上の清浄水を満たすことにより、囲い締め切られた貯溜水は、水路２の清浄水を透過して１滴の貯溜水（汚染）も、外水域に流出する事がない。
さらに、ダブル堤体内に清浄水を満たす方法としては、公知の浄化装置で浄化した浄化水をダブル堤体内に投入する。陸水（きれいな河川や池）の清浄水を取り入れる（淡水と海水の場合比重に配慮）。満潮時の海水を貯留する。（この場合、貯留水に海水の浸透が許される場合のみ）等貯留水の性質や貯留目的により配慮する。
（水路の水位を下げる方法）【０００６】
ダブル堤体内の水路２の水位を常に外水５の水位以下に保持する方法については、外水位５とダブル堤体内の水路２の水位を感知する公知のセンサを利用して、水路２の水位を常に外水位以下に保持するようポンプ１４で貯水池４に排出し、ダブル堤体内の水路２の水位を常に外水位以下に保持することにより、囲い締め切られた「水域の空（UTSURO）」を利用した貯水池の水は１滴も外水域５に流出する事がない。
汲み上げポンプ１４の排水量を少なくするには、ダブル堤の水密性を高める事と外水域５と水路２の水位差を小さくすることにより、汲み上げ水量が少なくなる。
又、貯留された汚染水は自然の浄化機能を酷使し、汚染水を浄化して、外水域５に排出する。
（貯水池内の汚染水の浄化）【０００７】
「水域の空（UTSURO）」を利用した貯水池内４に汚染水を貯留した場合、自然の浄化機能を酷使し、貯留汚染水を浄化し、汚染物を除去する。
貯水池４内に浄化堤をリンク状に重ねて設置した、多重浄化装置の、中央から汲み上げる浄化装置を、「多重式汲上浄化装置」６と言い、多重浄化装置の中央に汚水を投入する浄化装置を「多重式投入浄化装置」７と言う。
「多重式汲上浄化装置」６は「水域の空（UTSURO）」を利用した貯水池の排水装置として利用し、「多重式投入浄化装置」７は「水域の空（UTSURO）」を利用した貯水池への流入装置として利用する。
「多重式汲上浄化装置」より汲み上げた貯溜水の水質検査結果が公知の放流基準値を満たしていれば、外域に放流するが、検査水質が公知の放流基準値を満たしていなければ、再度、「浄化装置」に投入を繰り返し、「多重式汲上浄化装置」６により汲みあげ水の放流基準値を満たすのを待って外水域に放流する。
また、浄化された水は水路２の清浄水として利用が可能である。
「多重式投入浄化装置」７により汚染水が浄化され、「水域の空（UTSURO）」を利用した貯水池に流入された水の水質が放流基準値を満たしていれば、貯水池内の水を海域に直接自然放流する事も可能である。
本来、浄化堤は図１３図に示す公知の多空隙を有する接触酸化堤であり、時には、汚染水に合わせて特殊の濾材を組みした浄化堤を利用する。
特殊の濾材を組みした浄化堤は第１４図に示すものである。
また、貯水池内の水域や浄化堤で囲われた間隙水域は静穏水域で沈殿地として活用すると共に、汚染水の各種の吸着藻類の培養池とて利用し、これらの捕食生物と合わせて培養し、捕食生物の取上げにより汚染物を回収することを特徴とする「水域の空（UTSURO）」を利用した貯水装置である。
【発明の効果】
【０００８】
水は圧力の高い所から圧力の低い方にながれる。
第１図〜第２図に示すように、水を貯溜しようとする水域４をダブル堤により囲い締め切る「水域の空（UTSURO）」を構成し、ダブル堤内の水路２は第３図の詳細図に示すようにダブル堤内の水路２内の水圧が水底地盤深く伝達可能な底板の無い構造とすることにより、水路２の水位を貯水池の水位より同等以上(＋△Hの水位差)の清浄水を常に満たす事により、清浄水の巨大な水の器としての効果があり、貯溜水（汚染水）は、清浄水を透過して、外海域５に１滴の水も流出することがなく貯溜する効果を有する。【０００９】
又、第４図〜第５図に示すように、水を貯溜しようとする水域４を、第６図の詳細図に示すようなダブル堤で囲い締め切る「水域の空（UTSURO）」を構成し、ダブル堤の外堤１及び内堤３の其々の堤体の水密効果を高め、ダブル堤体内の水路２の水位を常にポンプ１４で汲み上げ、外水域５の水位と同等以下（−△Hの水位差）の水位（圧）を保持することにより、貯水池の水位に関係なく、外水域５の水が水路２内に浸透することがあってもダブル堤内の水路２の水は、１滴の水も外水域５に流出することがなく水の貯溜効果を有する。
このように、水は水の力を利用して、簡単な装置で、しかも大量の水を１滴の水も漏らさず貯留することが可能な効果を有する。【００１０】
なお「水域の空（UTSURO）」を利用した貯水池内４に汚染水を貯留する場合には、貯水池の静穏効果による沈殿効果をはじめ、貯水池内の光科学効果による汚染物の分解、合成効果、更に公知の有用藻類の培養による汚染物の吸着分解等の自然浄化効果や汚染物の除去効果を引き出し、汚染水の汚染物を除去効果が可能である。
さらに、これらの効果を引き出すために「水域の空（UTSURO）」を利用した貯水域４内に、公知の浄化堤をリンク状に重ね、中央水域から汲み上げる浄化装置を、「多重式汲上浄化装置」６と言い、「多重浄化装置」の中央水域に汚水を投入しながら、流入汚染水を浄化する浄化装置を「多重式投入浄化装置」７と言う。
このような多重式浄化装置は接触酸化効果や濾材の吸着効果、捕食効果、イオン交換作用効果、沈降効果繰り返し、水と汚染物を分離して汚染水を浄化させる効果を有する。
中でも、「多重式投入浄化装置」は「水域の空（UTSURO）」を利用した貯水池内に貯留する流入施設として汚染水を流入しながら浄化効果を保持しようとするものである。
また、「多重式汲上浄化装置」は「水域の空（UTSURO）」を利用した貯水池内に貯留する排出施設として汚染水を排出しながら浄化効果を保持しようとするものである。
多重式浄化装置は其々Ai１〜AinおよびAo１〜Aonのすべての水域で太陽光による公知の吸着藻類等の養殖や生物による捕食や沈降作用とJi1〜Jin
およびJo1〜Jon濾材の吸着や捕食を繰り返し、汚染物を除去し、汚染水を
浄化する。
「多重式汲上浄化装置」より汲み上げた、汲み上げ水の検査結果が水域放流基準値を満たしていれば、外水域に放流するが、検査水質が水域の放流基準値を満たしていなければ、再度、「多重式投入浄化装置」に投入を繰り返し、「多重式汲上浄化装置」より汲みあげ水の水域の放流基準値を満たすのを待って外水域に放流する。
以上のように、一滴の汚染水も漏らすことなく、大量の水を貯留し、自然の浄化効果を利用して外水域の環境保全効果を保持する事が出来るダブル堤で囲われた「水域の空（UTSURO）」を利用した貯水池は常に検証可能効果を有する水域で、修復効果の可能な水域である。外水域５即ち海洋の環境保全効果高い装置である。
ダブル堤で囲われた「水域の空（UTSURO）」を利用した貯水池４の水域は１滴も漏らさない巨大な水の器の効果を有し、廃棄物の底泥深層置換処理の利用効果も高く、放射能は水を透過しにくい性質があり、放射能除染ガレキの処理効果を有する。
また、ダブル堤で囲われた「水域の空（UTSURO）」を利用した貯水池４の水域は波浪や流れの無い静穏効果を有する水域で将来とも浮体構造と合わせて利用効果のある水域である。
【図面の簡単な説明】
【００１１】
添付図面の第1図〜第3図は「水域の空（UTSURO）」を利用した貯水装置
を構成するダブル堤の水路に清浄水を満たす事により水を貯水する方法について表し、第4図‐第6図は、「水域の空（UTSURO）」を利用した貯水装置を構成するダブル堤の水路を乾し上げて貯水する方法を示した。
また、第7図〜第8図については「水域の空（UTSURO）」を構成するダブル堤の施工の方法について、第9図〜第1４図は「水域の空（UTSURO）」を利用した貯水池に貯留した貯溜水の排出と流入にともなう浄化について表示す。
図１はダブル堤内の水路２に清浄水を常に貯水池内４の水位以上に満たし、貯留水４の流出を阻止する「水域の空（UTSURO）」を利用した貯水池の平面図で、貯水池４内に、多重式汲上浄化装置６及び多重式流入浄化装置7が設置された状態の平面図である。
図２は1図のc−c断面図である。
図３は「水域の空（UTSURO）」を利用した貯水装置の平面図のa−a横断面図でダブル堤の水路に清浄水を満たす事により貯留水の流出を阻止しようとする詳細図である。
図4はブル堤内の水路２の水位を常に海水面以下に保持した「水域の空（UTSURO）」を利用した貯水装置の平面図で、貯水池４内に、多重式汲上浄化装置６及び多重式投入浄化装置7が設置された状態の平面図である。
図5は第4図のc´―  c´の断面図である。
図6はダブル堤の水路２の水位を外水域５の水位以下に保持する事により貯留水の流出を阻止する詳細図である。
図7は「水域の空（UTSURO）」を利用した貯水池を構成するダブル堤を構築する施工手順として、ダブル堤の外郭部の前側15及び内側16に捨石護岸を設置して、埋立地を造成する横断図を表す。
図8は第７図の造成地に12および，13の止水壁と2の水路を掘り、外側には津波防波堤１と内側には止水堤２を設置する。ダブル堤の構築横断面図である。
図９・図１０は多重式汲上浄化装置で、図９は平面で、図１０はこの断面図である。
図１１・図１２は多重式投入浄化装置で、図１１は平面図で、図１２はこの断面図である。
第１３図は第９図〜第１２図に示す多重式浄化法に示す浄化堤の断面図で、公知の浄化堤の断面図である。
図１４は特殊の濾材を組みした浄化堤の断面図である。
【発明を実施するための最良の形態】
【００１２】
本願発明をより詳細に説述するために、添付図面に従ってこれを説明する。
本願発明は、水の力を利用して、一滴も漏らさず水を貯留しようとするもので、
ダブル堤内の水路２に清浄水を満たす方法と、ダブル堤内の水路２の水位を外水域５同等以下に下げることにより水の流出を防止する方法の形態がある。
第１図〜第３図はダブル堤内の水路２に清浄水を満たすことにより水を貯留しようとする方法で、第４図〜第６図はダブル堤内の水路２の水位を下げることにより貯留水を１滴も漏らさず貯留しようとする方法である。
なお、このダブル堤内の水路２については、水路の水圧が水底地盤深く伝達可能な底板の無い構造とし、さらに、ダブル堤の其々の堤体の水密性を保持する為、外堤１及び内堤３の海底地盤深くに至る連続遮水壁１２・１３を設置するものである。
また、貯水池４に汚染水を貯留した場合には貯水域４の水域を利用して、自然の浄化機能を引き出し、汚染水を浄化し、汚染物を除去して海域環境保全に寄与しようとするものである
（ダブル堤内の水路２に清浄水を満たす方法）【００１３】
第１図〜第２図に示すように、水を貯溜しようとする水域４を、水路２を保持するダブル堤により囲い締め切る「水域の空（UTSURO）」を構成し、第３図の詳細図に示すように水路２の水位を常に貯水池の水位同等以上(＋△Hの水位差)に清浄水を満たすことにより、貯留水４は、ダブル堤の水路２の清浄水に流入し外水域５に流出することがない。
ダブル堤内の水路２に清浄水を満たす方法として、第１図に示すように基本的には貯留水の浄化した清浄水を利用する。他に、陸水（河川水、ため池（ダム）水、井戸水）のきれいな水を使用する。更に、自然に無尽蔵に現地に存在する沖合の満潮時の海水を利用する。（但し貯留水に海水等浸透被害に要注意）等の方法がある。
したがって、外海域５に１滴の水も流出することがない巨大な水の器としての貯水池が構築される.
（ダブル堤内の水路２の水位を外水位同等以下に下げる方法）【００１４】
又、第４図〜第６図に示すように、水を貯溜しようとする水域４を、第６図の詳細図に示すようなダブル堤で囲い締め切る「水域の空（UTSURO）」を構成し、ダブル堤の外堤１及び内堤３の其々の堤体の水密効果を高め、ダブル堤体内の水路２の水位を常に、外水域５の水位と同等以下（−△Hの水位差）の水位（圧）を保持することにより、貯水池４の水位に関係なく水を貯留することができる。
外水域５の水が水路２内に浸透することがあってもダブル堤内の水路２の水は、１滴の水も外水域５に流出することがなく貯溜することが可能である。
外水域５の水位と同等以下（−△Hの水位差）の水位（圧）を保持する方法についてはポンプ１４で汲み上げ、貯水池４に還元する。
また、ポンプ１４で汲み上げ水量を少なくする為には、ダブル堤の其々
の堤体の水密効果を高めると共に、公知のセンサを利用してダブル堤体内の水路２の水位と、外水域５の水位と同等以下（−△Hの水位差）の水位（圧）差を常に小さく保持することにより、ポンプ１４で汲み上げ水量を少なくする事が可能となる。
（貯留汚染水の浄化）【００１５】
汚染水を貯留した場合、自然はでっかい浄化装置である。貯留水域４を利用して、自然の浄化システムを駆使し、水を浄化し、汚染物を除去して、海域環境保全に寄与しようとするものである。
本来、貯水池の静穏効果による沈殿、貯水池内の光科学作用による汚染物の分解、合成、更に公知の有用藻類の培養による汚染物の吸着分解等の自然浄化作用により、汚染水を浄化し、汚染水の汚染物を除去しようとするものである。
従って、「水域の空（UTSURO）」を利用した貯水域４内に、公知の浄化堤をリンク状に重ね、中央水域から汲み上げる浄化装置を、「多重式汲上浄化装置」６と言い、「多重浄化装置」の中央水域に汚水を投入しながら、流入汚染水を浄化する浄化装置を「多重式投入浄化装置」７と言う。
このような多重式浄化装置は接触酸化効果や濾材の吸着効果、捕食効果、イオン交換作用効果、沈降効果繰り返し、水と汚染物を分離して汚染水を浄化するものである。
中でも、「多重式投入浄化装置」７は「水域の空（UTSURO）」を利用した貯水池内に貯留する流入施設として汚染水を貯留しながら浄化効果を保持しようとするものである。
また、「多重式汲上浄化装置」６は「水域の空（UTSURO）」を利用した貯水池内に貯留する排出施設として汚染水を排出しながら貯溜水を浄化しようとするものである。
多重式浄化装置は其々投入浄化装置の浄化水域Ai１〜Ainおよび汲上浄化装置の其々の浄化水域Ao１〜Aonで太陽光による公知の吸着藻類等の養殖や生物による捕食や沈降作用や其々投入浄化装置の浄化堤Ji1〜Jinおよび汲上浄化装置の其々の浄化堤Jo1〜Jonの濾材の吸着や捕食を繰り返し、汚染物を除去し、汚染水を浄化する。
時には浄化水域の藻類の刈り取り、沈降水域のヘドロの浚渫、吸着濾材の取り換えメンテの実施を行う。
「多重式汲上浄化装置」６より汲み上げた、汲み上げ水の検査結果が外水域放流基準値を満たしていれば、外水域に放流するが、検査水質が水域の放流基準値を満たしていなければ、再度、「多重式投入浄化装置」に投入するか、「多重式汲上浄化装置」６の外郭の浄化水域Aonの水域に戻し、繰り返し浄化し、「多重式汲上浄化装置」より汲みあげ水の水域の放流基準値を満たすのを待って外水域に放流する。
（ダブル堤の構築）【００１６】
「水域の空（UTSURO）」を利用した貯水池を構成するダブル堤２の構築については第７図に示すように沖合の捨石堤１５及び内側の捨石堤１６を設置し、この間を土砂で埋立１７し、貯水池を締め切るベルト状の埋立地を構築し、この中に水路２を掘削し、この土砂を利用して、外側には堤体１を高くし、津波防波堤を設置して、内側は貯水池の堤体３としてダブル堤を構築するが、この過程で其々の貯水高に合わせて、海底地盤深くに至る公知の矢板やコンクリート等による連続遮水壁１２・１３を設置する。
（津波防波堤）
本来、津波は波長が長く莫大なエネルギーを保持しており、砕波させると津波のエネルギーが放出される為波高が高くなり大変である。１方、津波は反射のし易い波である。防波堤の前面の水深を深くすることにより、反射する性質がある。沖波の波高の約２倍以上の水深を保持することにより反射させ対物被害を少なくしようとする。しかし津波防波堤の天端高は既往想定波高以上に保持する。
【産業上の利用の可能性】
【００１７】
水を貯溜しようとする水域４をダブル堤により囲い締め切る「水域の空（UTSURO）」を構成し、ダブル堤内の水路２に清浄水を常に満たすか、または、外水域以下に保持することにより、１滴汚染水も外水域に漏らす事の無い巨大な水の器が構成する事が可能である。
１滴も外水域に漏らさない巨大な水の器「水域の空（UTSURO）」は防災上安全で外水域５即ち海域の環境保全のために検証や修復が可能であるシステムとして産業上多くの利用の可能性を有する。
【００１８】
将来、人類文明を維持してゆく為に飲み水が不足すると言う。
この、貴重な河川の水が海に流入すれば、ただの海水となる。ダブル堤で囲い締め切る巨大な『「水域の空（UTSURO）」を利用した貯水装置』４を構成する事により大量の用水を貯水することが可能となる。
【００１９】
また、海域環境を保全する為、海域に流入する大量の汚染水（下水、排水等）、  中でも、放射能の汚染水問題は大きな社会問題となっており、このような汚染水を一滴も漏らさず『「水域の空（UTSURO）」を利用した貯水池』４内に貯留し、自然の力で浄化して、汚染水の再利用や海域保全に寄与するシステムで
貯溜汚染水を一滴も漏らさずに『「水域の空（UTSURO）」を利用した貯水池』４に、貯留し「多重式投入浄化法」７や「多重式汲上浄化法」６を駆使して水を浄化することが可能である。
【００２０】
ダブル堤で、囲い締め切られた巨大な『「水域の空（UTSURO）」を利用した貯水装置』の貯溜水域４は静穏水域で、波や流れの無い水域である。  
ダブル堤の前面外郭堤防１を高くし、津波防御堤とすることにより、津波の侵入を許さない構造となる。さらに、浮いた物は地震の影響を受けない。
従って、『「水域の空（UTSURO）」を利用した貯水池内に設置された浮体構造は地震や津波の無い構造物で、浮体構造と合わせて将来利用が可能となる。
一滴も漏らさない「水域の空（UTSURO）」を利用した貯水池の巨大な『水の器』内に設置した浮体構造物は、ガス、オイル、石炭等の貯留基地、浮体式発電所の設置が可能となる。
【００２１】
更に、一滴も漏らさない「水域の空（UTSURO）」を利用した貯水池の巨大な『水の器』内の底泥深くに、ごみや下水の焼却灰、などの廃棄物や放射性廃棄物処理は証可能で、陸域と違い、海底は地下水の流れが殆どなく、廃棄物の浸出水の阻止が可能である。
また、水は放射能を透過しない性質がある。原発の事故により大量に発生した放射能除染土を１滴も外水域に漏らさない巨大な水の器「水域の空（UTSURO）」の底泥深層深く挿入することにより、放射能処理の可能性を有する。
このように「水域の空（UTSURO）」を利用した貯水池は環境保全上安全でしかも検証可能な水域で安価で大量に処理が可能で産業上の利用の可能性が高い。
【符号の説明】
【００２２】
１：  「水域の空（UTSURO）」を利用した貯水池を構成するダブル堤の外郭堤防で津波防御堤である。
２： 「水域の空（UTSURO）」を利用した貯水池を構成するダブル堤の水路である。
３： 「水域の空（UTSURO）」を利用した貯水池を構成するダブル堤の内堤である。
４： 「水域の空（UTSURO）」を構成した貯水域である。
５： 外水域(外洋)
６：  「水域の空（UTSURO）」を利用した貯水池内に設置した汲み上げ浄化設備
７：  「水域の空（UTSURO）」を利用した貯水池内に設置した投入式浄化設備
８：  「水域の空（UTSURO）」を利用した貯水池の排水及びダブル堤の水位調整ゲート
９：  水の流れの方向
１０：  バルブで切り替え変え装置
１１：  海底地盤
１２：  ダブル堤を構成する外郭堤の止水壁
１３：  ダブル堤を構成する内堤の止水壁内堤の止水壁
１４：  ポンプ
１５：  ダブル堤を構成する外郭堤の捨石護岸
１６：  ダブル堤を構成する内堤の捨石護岸
１７：  ダブル堤を築造する埋め立て土砂
１８：  浄化堤を構成する一般濾材
１９：  浄化堤の特殊濾材
２０：  浄化堤の濾材を透過する水の流れ
(記号)
FHL：ダブル堤の水路の水面（圧）を常に貯水池内に清浄水を満たした水
面      DWL：ダブル堤の水路の水面（圧）を常に海水面以下に保持した水面
ΔH：ダブル堤の水路に清浄水を満たした場合には、清浄水の水面（圧）
と貯水池の水位（圧）の差。
ダブル堤の水路の水位を下げた場合には、ダブル堤内の水位（圧）と海水位（圧）の差。
HWL：満潮水面
LWL：干潮水面
WT：水質検査
P ：ポンプ装置を示す
JO1：吸い上げポンプ口のAO１水域を囲う浄化堤
JO２：AO２水域を囲う浄化堤
JO３：AO３水域を囲う浄化堤
AO１：浄化堤JO1で囲われた浄化水域
AO２：浄化堤JO1と浄化堤JO２で囲われた浄化水域
AO３：浄化堤JO２と浄化堤JO３で囲われた浄化水域
Ji1：投入ポンプ口のAi１水域を囲う浄化堤
Ji２：Ai２水域を囲う浄化堤
Ji３：Ai３水域を囲う浄化堤
Ai１：浄化堤Ji1で囲われた浄化水域
Ai２：浄化堤Ji1と浄化堤Ji２で囲われた浄化水域
Ai３：浄化堤Ji２と浄化堤Ji３で囲われた浄化水域
【図１】
2016013109.tif 000003
【図２】
2016013109.tif 000004
【図３】
2016013109.tif 000005
【図４】
2016013109.tif 000006
【図５】
2016013109.tif 000007
【図６】
2016013109.tif 000008
【図７】
2016013109.tif 000009
【図８】
2016013109.tif 000010
【図９】
2016013109.tif 000011
【図１０】
2016013109.tif 000012
【図１１】
2016013109.tif 000013
【図１２】
2016013109.tif 000014
【図１３】
2016013109.tif 000015
【図１４】
2016013109.tif 000016
【国際調査報告】
2016013109.tif 000017
2016013109.tif 000018